(57)【要約】【課題】循環ファン４の作動で室内空気をハウジング１に開設した吸込み口２から吸込んで加熱手段５により加熱し、ハウジング１の前面下部に開設した吹出し口３から温風として送風する温風暖房機であって、ハウジング１内の下部に、加熱手段５と吹出し口３との間の通風空間８に対し仕切り板９で仕切られ、室内空気が流入可能なセンサ室１０が設けられ、このセンサ室１０に配置した室温センサ１１の検出温度に基づいて、温風送風をオンオフする温調制御を行うものにおいて、暖房機の前面近傍に障害物ａが存在する場合にこれを検知できるようにする。【解決手段】温調制御による温風送風のオンオフ回数が所定時間内に所定数以上になったときに異常有りと判定する異常判定制御を行う。そして、異常有りと判定されたときは、異常表示と暖房運転停止との少なくとも一方を行う。【選択図】図２
2011047602.tif 000002
【特許請求の範囲】
【請求項１】
ハウジング内に、循環ファンと、循環ファンよりも下方に位置させて加熱手段とが配置され、循環ファンの作動で室内空気をハウジングに開設した吸込み口から吸込んで加熱手段により加熱し、ハウジングの前面下部に開設した吹出し口から温風として送風する温風暖房機であって、ハウジング内の下部に、加熱手段と吹出し口との間の通風空間に対し仕切り板で仕切られ、室内空気が流入可能なセンサ室が設けられ、このセンサ室に配置した室温センサの検出温度に基づいて、温風送風をオンオフする温調制御を行う制御手段を備えるものにおいて、
制御手段は、温調制御による温風送風のオンオフ回数が所定時間内に所定数以上になったときに異常有りと判定する異常判定制御を行うように構成されることを特徴とする温風暖房機。
【請求項２】
前記制御手段は、前記異常判定制御で異常有りと判定されたときに、異常表示と暖房運転停止との少なくとも一方を行うように構成されることを特徴とする請求項１記載の温風暖房機。
【発明の詳細な説明】
【技術分野】
【０００１】
本発明は、ハウジング内に、循環ファンと、循環ファンよりも下方に位置させて温水放熱器等の加熱手段とが配置され、循環ファンの作動で室内空気をハウジングに開設した吸込み口から吸込んで加熱手段により加熱し、ハウジングの前面下部に開設した吹出し口から温風として送風する温風暖房機に関する。
【背景技術】
【０００２】
従来、この種の温風暖房機として、ハウジング内の下部に、加熱手段と吹出し口との間の通風空間に対し仕切り板で仕切られ、室内空気が流入可能なセンサ室を設け、このセンサ室に配置した室温センサの検出温度に基づいて、温風送風をオンオフする温調制御を行うようにしたものが知られている（例えば、特許文献１参照）。
【０００３】
尚、ハウジング内の上部の吸込み口に臨む部分に室温センサを設けることも考えられる。然し、これでは、温調制御で循環ファンを停止したときに、加熱手段付近の熱い空気が室温センサの配置部まで上昇して、室温センサの検出温度が室温よりも高くなってしまい、正確な温調制御ができなくなる。一方、上記の如くハウジング内の下部に設けたセンサ室に室温センサを配置しておけば、かかる不具合は生じない。
【０００４】
ところで、温風暖房機の前面近傍に人や置物等の障害物が存在すると、温風が障害物で遮られて暖房効果が低下したり、障害物の過熱を生じたりする。然し、上記従来の温風暖房機では、その前面近傍に障害物が存在がしていても、これを検知できず、そのまま放置されてしまう。
【先行技術文献】
【特許文献】
【０００５】
【特許文献１】特開昭５９−２１０２２９号公報
【発明の概要】
【発明が解決しようとする課題】
【０００６】
本発明は、以上の点に鑑み、暖房機の前面近傍に障害物が存在しているときにこれを検知できるようにした温風暖房機を提供することをその課題としている。
【課題を解決するための手段】
【０００７】
上記課題を解決するために、本発明は、ハウジング内に、循環ファンと、循環ファンよりも下方に位置させて加熱手段とが配置され、循環ファンの作動で室内空気をハウジングに開設した吸込み口から吸込んで加熱手段により加熱し、ハウジングの前面下部に開設した吹出し口から温風として送風する温風暖房機であって、ハウジング内の下部に、加熱手段と吹出し口との間の通風空間に対し仕切り板で仕切られ、室内空気が流入可能なセンサ室が設けられ、このセンサ室に配置した室温センサの検出温度に基づいて、温風送風をオンオフする温調制御を行う制御手段を備えるものにおいて、制御手段は、温調制御による温風送風のオンオフ回数が所定時間内に所定数以上になったときに異常有りと判定する異常判定制御を行うように構成されることを特徴とする。
【０００８】
ここで、暖房機の前面近傍に障害物が存在すると、温風が障害物に当たって跳ね返り、センサ室に温風が流入して室温センサの検出温度が上昇し、温風送風が停止（オフ）される。この場合、実際に室温が上がったわけではないので、温風送風のオフで室温センサの検出温度がすぐに低下し、温風送風が再開（オン）される。そして、温風送風が再開されると、センサ室への温風の流入で室温センサの検出温度がすぐに上昇し、温風送風が再び停止される。そのため、短い時間間隔で温風送風のオンオフが繰り返されることになる。
【０００９】
従って、暖房機の前面近傍に障害物が存在する場合は、温調制御による温風送風のオンオフ回数が所定時間内に所定数以上になる。本発明によれば、このときに異常有りと判定されるため、障害物が存在することを検知できる。
【００１０】
また、本発明において、制御手段は、異常判定制御で異常有りと判定されたときに、異常表示と暖房運転停止との少なくとも一方を行うように構成されることが望ましい。異常表示を行うことで、使用者に障害物が存在することを知らせることができ、また、暖房運転を停止することで、障害物の過熱を生ずることを防止できる。
【図面の簡単な説明】
【００１１】
【図１】本発明の実施形態の温風暖房機の正面図。
【図２】図１のＩＩ−ＩＩ線で切断した断面図。
【図３】実施形態の温風暖房機のコントローラが行う異常判定制御の内容を示すフロー図。
【発明を実施するための形態】
【００１２】
図１、図２を参照して、１は温風暖房機のハウジングを示している。このハウジング１の前面上部には吸込み口２が開設され、前面下部には吹出し口３が開設されている。尚、この温風暖房機は壁掛け型であり、床面Ｆからのハウジング１の下端の高さが１０ｃｍ以下になるように壁面Ｋに設置される。
【００１３】
ハウジング１内には、上部に循環ファン４が配置されると共に、循環ファン４よりも下方に位置させて、熱源機等で加熱された温水を供給する加熱手段たる放熱器５が配置されている。循環ファン４は、吸込み口２に対向するファンケーシング４ａ内に収納した、モータ４ｂで駆動される遠心ファンで構成される。循環ファン４を作動させると、室内空気が吸込み口２を介してファンケーシング４ａ内に吸込まれ、ファンケーシング４ａから下方の放熱器５に向けて送風される。そして、室内空気は放熱器５で加熱され、吹出し口３から温風として室内に送風される。
【００１４】
ハウジング１の上面には操作盤６が設けられている。また、ハウジング１内の上部には、ファンケーシング４ａと操作盤６との間に位置させて、制御手段たるコントローラ７が配置されている。
【００１５】
また、ハウジング１の下部には、吹出し口３よりも下方に位置する延長部が形成されており、この延長部内に、放熱器５と吹出し口３との間の通風空間８に対し仕切り板９で仕切られたセンサ室１０が設けられている。センサ室１０の前面には通気孔１０ａが形成されており、この通気孔１０ａを介してセンサ室１０に室内空気が流入する。そして、センサ室１０にサーミスタから成る室温センサ１１を配置している。
【００１６】
室温センサ１１の検出信号はコントローラ７に入力される。コントローラ７は、室温センサ１１の検出温度に基づいて、室温がほぼ暖房設定温度に維持されるように温風送風をオンオフする温調制御を行う。温調制御では、室温センサ１１の検出温度が暖房設定温度より所定温度（例えば、２℃）高く設定される上限温度以上になったときに、温風送風を停止（オフ）し、その後、室温センサ１１の検出温度が暖房設定温度より所定温度（例えば、１℃）低く設定される下限温度以下になったときに、温風送風を再開（オン）する。温風送風のオフは、循環ファン４を停止すると共に放熱器５への温水供給を停止することで行われる。尚、放熱器５への温水供給を継続したまま循環ファン４を停止して、温風送風をオフすることも可能である。
【００１７】
ところで、図２に仮想線で示す如く、温風暖房機の前面近傍に障害物ａが存在すると、温風が障害物ａで遮られて暖房効果が低下したり、障害物ａの過熱を生じたりする。そこで、コントローラ７は、温風暖房機の前面近傍の障害物ａの存在を検知するために、上述した温調制御に加えて異常判定制御を実行する。
【００１８】
以下、図３を参照して異常判定制御について説明する。異常判定制御では、先ず、ＳＴＥＰ１でタイマをスタートさせた後、ＳＴＥＰ２に進み、温調制御による温風送風のオンオフ回数Ｃをカウントする。尚、温風送風のオンオフ回数は、室温センサ１１の検出温度が上限温度以上になって温風送風をオフした回数であっても、また、室温センサ１１の検出温度が下限温度以下になって温風送風をオンした回数であっても、更には、温風送風をオフした回数とオンした回数の合計数であってもよい。本実施形態では、温風送風のオンオフ回数Ｃとして、温風送風をオフした回数とオンした回数の合計数をカウントしている。
【００１９】
次に、ＳＴＥＰ３に進み、タイマをスタートしてからカウントした温風送風のオンオフ回数Ｃが所定数ＹＣ（例えば、７回）以上になったか否かを判別する。Ｃ＜ＹＣであれば、ＳＴＥＰ４に進んで、タイマの計時時間ＴＭが所定時間ＹＴＭ（例えば、１０分）に達したか否かを判別し、ＴＭ＜ＹＴＭであれば、ＳＴＥＰ２に戻る。
【００２０】
ここで、温風暖房機の前面近傍に障害物ａが存在すると、温風が障害物ａに当たって跳ね返り、センサ室１０に温風が流入して室温センサ１１の検出温度が上昇し、温風送風がオフされる。この場合、実際に室温が上がったわけではないので、温風送風のオフで室温センサ１１の検出温度がすぐに低下し、温風送風が再開（オン）される。そして、温風送風が再開されると、センサ室１０への温風の流入で室温センサ１１の検出温度がすぐに上昇し、温風送風が再びオフされる。そのため、短い時間間隔で温風送風のオンオフが繰り返されることになる。
【００２１】
従って、温風暖房機の前面近傍に障害物ａが存在する場合は、温風送風のオンオフ回数Ｃが所定時間ＹＴＭ内に所定数ＹＣ以上になり、ＳＴＥＰ３で「ＹＥＳ」と判定される。この場合は、ＳＴＥＰ５で異常有りと判断し、ＳＴＥＰ６に進んで、障害物ａが存在する旨を報知する異常表示を行うと共に暖房運転を停止する。そのため、障害物ａが存在したまま放置され、障害物ａの過熱を生ずることを防止できる。
【００２２】
温風送風のオンオフ回数Ｃが所定数ＹＣ以上にならないまま所定時間ＹＴＭが経過したときは、ＳＴＥＰ７でタイマをリセットした後、ＳＴＥＰ１に戻り、上述した異常判定制御を繰り返す。
【００２３】
以上、本発明の実施形態について図面を参照して説明したが、本発明はこれに限定されない。例えば、上記実施形態は壁掛け型の温風暖房機に本発明を適用したものであるが、床置き型の温風暖房機にも同様に本発明を適用できる。この場合、ハウジングの背面に吸込み口を開設してもよい。また、上記実施形態では、加熱手段として放熱器５を用いているが、電気ヒータ等の他の加熱手段を用いることも可能である。
【００２４】
また、上記実施形態では、ハウジング１に吹出し口３より下方に位置する延長部を形成して、この延長部内にセンサ室１０を設けているが、ハウジング１内の吹出し口３と同等高さの下部側方部分に、通風空間８の側面に対し仕切り板で仕切られたセンサ室を設けることも可能である。更に、センサ室１０を適宜の管を介して循環ファン４の吸込み側に連通させ、室内空気をセンサ室１０に積極的に流通させるようにしてもよい。
【符号の説明】
【００２５】
１…ハウジング、２…吸込み口、３…吹出し口、４…循環ファン、５…放熱器（加熱手段）、７…コントローラ（制御手段）、８…通風空間、９…仕切り板、１０…センサ室、１１…室温センサ。
【図１】
2011047602.tif 000003
【図２】
2011047602.tif 000004
【図３】
2011047602.tif 000005